(57)【要約】【課題】移送時や保管時の流動体の漏出防止と、使用時の流動体の生体内への供給とを確実に行える流動体注出器、及び流動体注出ユニットを提供する。【解決手段】流動体注出ユニット１０Ａ及び流動体収容容器１は、流動体を収容する容器本体１１及び流動体を注出させる注出部１２を備え、注出部１２の基端部側開口部２１が封止膜２２にて封止された流動体収容容器１と、注出部１２内にスライド自在に挿入され、封止膜２２を先端突部４３で突き破り、流動体をスライドノズル本体部４２ａの内部を経て流動体導出部材２に流出させるスライドノズル３と、注出部１２及びスライドノズル３を連結させるスライドカバー４とを有し、スライドカバー４には、注出部１２とスライドノズル３とを、スライドノズル３が封止膜２２を突き破らない第一の位置で係止させる第一係止孔部５２と、突き破る第二の位置で係止させる第二係止孔部５５とが設けられている。【選択図】図１
2015066026.tif 000002
【特許請求の範囲】
【請求項１】
内部に流動体を収容する容器本体及び該容器本体に収容された流動体を注出させる注出部を備え、該注出部の開口部分が封止膜にて封止された流動体収容容器と、
前記注出部内にスライド自在に挿入されると共に前記注出部から流出した前記流動体が流れる導管側に設けられ、前記封止膜を先端突部で突き破ることにより前記流動体を前記注出部の前記開口部分から破断部材本体の内部を通過させて導管に流出させる破断部材と、
前記注出部及び前記破断部材を連結させる連結手段とを有し、
前記連結手段には、
前記注出部と前記破断部材とを、前記破断部材が前記封止膜を突き破らない位置としての第一の位置において係止させる第一係止手段と、
前記注出部と前記破断部材とを、前記破断部材が前記封止膜を突き破る位置としての第二の位置において係止させる第二係止手段とが設けられていることを特徴とする流動体注出器。
【請求項２】
前記連結手段は、前記注出部及び前記破断部材とは別体の、筒状に形成された筒状部材を備え、
該筒状部材には、前記破断部材と前記注出部とのうち少なくとも何れか一方が、前記筒状部材の軸方向に移動する際の移動をガイドするためのガイド部材が設けられたことを特徴とする請求項１に記載の流動体注出器。
【請求項３】
前記連結手段として、
前記注出部及び前記破断部材の少なくとも何れか一方には突起部が設けられ、
前記ガイド部材は、前記突起部が嵌合されて、嵌合された前記突起部が前記筒状部材の軸方向に沿って移動可能なスリットとして形成され、
該スリットの一端部側には、前記第一係止手段として、前記突起部が嵌合されることで、前記注出部と前記破断部材とが前記第一の位置に位置決めされる第一位置決め孔部が設けられ、
前記スリットの他端部側には、前記第二係止手段として、前記突起部が嵌合されることで、前記注出部と前記破断部材とが前記第二の位置に位置決めされる第二位置決め孔部が設けられたことを特徴とする請求項２に記載の流動体注出器。
【請求項４】
前記破断部材の先端側には、前記先端突部の近傍の側面に、前記注出部から流出する流動体を前記破断部材本体の内部に流れ込ませる流動体通過孔部が形成されたことを特徴とする請求項１乃至３の何れか一つに記載の流動体注出器。
【請求項５】
請求項１乃至４の何れか一つに記載の流動体注出器と、
該流動体注出器に接続される前記導管とを備え、
該導管は、前記流動体を生体内に注入するシリンジと、該シリンジにおける前記流動体の流動方向を制御する三方弁とを備えたことを特徴とする流動体注出ユニット。
【請求項６】
請求項１乃至４の何れか一つに記載の流動体注出器と、
該流動体注出器に接続される前記導管とを備え、
該導管の内部、及び、該導管に挿通されるプランジャのプランジャ軸の周囲のうち少なくとも何れか一方に配設されて、前記プランジャを前記導管から離脱させる方向に付勢する弾性部材を設けたことを特徴とする流動体注出ユニット。
【発明の詳細な説明】
【技術分野】
【０００１】
本発明は、流動体収容容器に収容された経腸栄養剤等の流動体を注出させるための流動体注出器、及び流動体注出ユニットに関する。
【背景技術】
【０００２】
従来から、医療現場では各種経腸栄養剤や飲食物をゲル化またはゾル化した流動体が袋状の流動体収容容器の容器本体に収容されたもの等が用いられている。この流動体は、例えば胃瘻を形成した患者等に対しては、使用時に、収容された流動体を、導管を通じて患者の胃や腸の内部に注入する。そのため、注入されるまでは品質を保持した状態で流動体収容容器の容器本体の中に封入しておくと共に、使用時には清潔さを保ちつつ迅速に胃や腸に注入できる状態にする必要がある。
【０００３】
従来、流動体収容容器は、流動食が収容された、積層フィルム製の容器本体に注出部を取り付けて形成し、この注出部は、容器本体に接着された注出部基部と、注出部基部に螺合して装着されるノズル部と、ノズル部を封鎖するキャップとで構成され、注出部基部には容器本体の内部を封止する閉鎖板を設け、ノズル部には、その下部に螺子締め深さの調節で閉鎖板の切断と係止を可能にした切断具を設けた構成が知られている（例えば、特許文献１参照）。また、従来、流動体収容容器の注ぎ口構造として、容器本体の一部に取り付けられた注ぎ口部材とキャップとで構成された注ぎ口構造であって、注ぎ口部材は、注ぎ通路を画成する管状のベース部の端部に封止壁を設け、キャップの一部に、内側に向けて突出した突き破り部を設け、突き破り部は、キャップがベース部に対して第一の位置から第二の位置まで移動したときに封止壁を突き破って封止壁に通路開口を設けた構成が知られている（例えば、特許文献２参照）。
【先行技術文献】
【特許文献】
【０００４】
【特許文献１】特開２００６−８２８４７号公報
【特許文献２】特開平１１−１２４８号公報
【発明の概要】
【発明が解決しようとする課題】
【０００５】
しかし、特許文献１や特許文献２に記載の発明は、容器本体の内部に収容された流動食等をチューブ等で体内に供給する際に、作業者は、流動食の注出器具を手作業で容器本体に接続する。そのため、作業が繁雑になり、また、作業者の手がノズル部や注ぎ口部材と注出器具との接続部分に触れて不衛生になり易いという問題がある。また、特許文献１や特許文献２に記載の発明においては、注出器具を容器本体に接続させる際や封止壁を突き破る際に、注出器具やキャップを容器本体に螺合しなければならず、作業が一層煩雑になるという問題がある。
【０００６】
本発明は上記の問題に鑑みてなされたものであり、使用時における流動体の生体内への供給を簡易かつ確実に行うことができる流動体注出器、及び流動体注出ユニットを提供することを課題としている。
【課題を解決するための手段】
【０００７】
かかる課題を達成するために、請求項１に記載の発明は、流動体注出器であって、  内部に流動体を収容する容器本体及び該容器本体に収容された流動体を注出させる注出部を備え、該注出部の開口部分が封止膜にて封止された流動体収容容器と、前記注出部内にスライド自在に挿入されると共に前記注出部から流出した前記流動体が流れる導管側に設けられ、前記封止膜を先端突部で突き破ることにより前記流動体を前記注出部の前記開口部分から破断部材本体の内部を通過させて導管に流出させる破断部材と、前記注出部及び前記破断部材を連結させる連結手段とを有し、前記連結手段には、前記注出部と前記破断部材とを、前記破断部材が前記封止膜を突き破らない位置としての第一の位置において係止させる第一係止手段と、前記注出部と前記破断部材とを、前記破断部材が前記封止膜を突き破る位置としての第二の位置において係止させる第二係止手段とが設けられていることを特徴とする。
【０００８】
請求項２に記載の発明は、請求項１に記載の構成に加え、前記連結手段は、前記注出部及び前記破断部材とは別体の、筒状に形成された筒状部材を備え、該筒状部材には、前記破断部材と前記注出部とのうち少なくとも何れか一方が、前記筒状部材の軸方向に移動する際の移動をガイドするためのガイド部材が設けられたことを特徴とする。
【０００９】
請求項３に記載の発明は、請求項２に記載の構成に加え、前記連結手段として、前記注出部及び前記破断部材の少なくとも何れか一方には突起部が設けられ、前記ガイド部材は、前記突起部が嵌合されて、嵌合された前記突起部が前記筒状部材の軸方向に沿って移動可能なスリットとして形成され、該スリットの一端部側には、前記第一係止手段として、前記突起部が嵌合されることで、前記注出部と前記破断部材とが前記第一の位置に位置決めされる第一位置決め孔部が設けられ、前記スリットの他端部側には、前記第二係止手段として、前記突起部が嵌合されることで、前記注出部と前記破断部材とが前記第二の位置に位置決めされる第二位置決め孔部が設けられたことを特徴とする。
【００１０】
請求項４に記載の発明は、請求項１乃至３の何れか一つに記載の構成に加え、前記破断部材の先端側には、前記先端突部の近傍の側面に、前記注出部から流出する流動体を前記破断部材本体の内部に流れ込ませる流動体通過孔部が形成されたことを特徴とする。
【００１１】
請求項５に記載の発明は、流動体注出ユニットであって、請求項１乃至４の何れか一つに記載の流動体注出器と、該流動体注出器に接続される前記導管とを備え、該導管は、前記流動体を生体内に注入するシリンジと、該シリンジにおける前記流動体の流動方向を制御する三方弁とを備えたことを特徴とする。
【００１２】
請求項６に記載の発明は、請求項１乃至４の何れか一つに記載の流動体注出器と、該流動体注出器に接続される前記導管とを備え、該導管の内部、及び、該導管に挿通されるプランジャのプランジャ軸の周囲のうち少なくとも何れか一方に配設されて、前記プランジャを前記導管から離脱させる方向に付勢する弾性部材を設けたことを特徴とする。
【発明の効果】
【００１３】
請求項１に記載の発明によれば、流動体収容容器の内部に収容された流動体を注出させる注出部が封止膜にて封止されたことにより、流動体収容容器の内部を密封し、移送時や保管時に流動体が外気に触れることを防止して流動体の品質を保持できる。また、注出部と破断部材とが連結手段によって連結されていることにより、注出部に薄膜を破断させる構成を取り付ける煩雑な作業は不要となり、作業者は簡易で衛生的な作業により封止膜を破断させて流動体を生体内に供給できる。また、注出部と破断部材とを、第一の係止手段によって第一の位置で係止させることで、移送時や保管時には、注出部と破断部材とを第一の位置に位置決めして流動体の漏出を確実に防止すると共に、破断部材を注出部方向にスライドさせて、第二の係止手段によって第二の位置で係止させることで、流動体を生体内に供給する際には、注出部と破断部材とを第二の位置に位置決めして容器本体内部の流動体を確実に注出させることができる。これにより、移送時や保管時における容器本体に収容された流動体の漏出を確実に防ぎ、使用時における流動体の生体内への供給を簡易かつ確実に行うことができる。
【００１４】
請求項２に記載の発明によれば、注出部及び破断部材とは別体の筒状部材に、破断部材と注出部とのうち少なくとも何れか一方が、筒状部材の軸方向に移動する際の移動をガイドするためのガイド部材が設けられたことにより、破断部材はガイド部材にガイドされた状態で注出口方向に移動する。これにより、破断部材による封止膜の破断や、流動体収容容器と破断部材との連結をスムーズに行うことができる。
【００１５】
請求項３に記載の発明によれば、スリットに嵌合された突起部が筒状部材の軸方向に移動することにより、破断部材の注出口方向への移動のガイドを簡易な構成によって実現できる。また、スリットの一端部側に第一位置決め孔部が設けられ、スリットの他端部側に第二位置決め孔部が設けられたことにより、突起部が第一位置決め孔部に嵌合されることで注出部と破断部材とを第一の位置に位置決めして流動体の漏出を確実に防止すると共に、スリットに沿って移動した破断部材の突起部が第二位置決め孔部に嵌合されることで注出部と破断部材とを第二の位置に位置決めして、容器本体内部の流動体を確実に注出させることができる。これにより、移送時や保管時における容器本体に収容された流動体の漏出を確実に防ぎ、使用時における流動体の生体内への供給を簡易かつ確実に行うことができる。
【００１６】
請求項４に記載の発明によれば、破断部材の先端突部の近傍の側面に流動体通過孔部が形成されたことにより、破断部材が封止膜を破断した際に封止膜が破断部材の端面を覆ってしまった場合でも、容器本体の内部の流動体は流動体通過孔部から破断部材本体の内部に流れ込む。これにより、使用時には、容器本体の内部に収容された流動体を確実に導管を介して生体内に供給できる。
【００１７】
請求項５に記載の発明によれば、流動体を生体内に注入するシリンジと、シリンジにおける流動体の流動方向を制御する三方弁とを備えたことにより、使用者がシリンジのプランジャを引くことで容器本体からシリンジに流動体を流入させ、プランジャを押すことでシリンジの内部の流動体を生体内に注入させることができる。これにより、容器本体の内部に収容された流動体を簡易かつ確実に生体内に供給できる。
【００１８】
請求項６に記載の発明によれば、弾性部材によってプランジャが導管から離脱させる方向に付勢されるため、導管の内部に流動体を流入させる際に、使用者は、小さい力でプランジャを引く操作を行うことができる。これにより、流動体注出器の操作性を良好にすることができる。
【図面の簡単な説明】
【００１９】
【図１】この実施の形態１に係る流動体注出ユニット及び流動体注出器の全体の構成を示す、部分拡大した分解図である。
【図２】同実施の形態１に係る流動体注出ユニット及び流動体注出器の注出部、スライドノズル、スライドカバーの正面図である。
【図３】同実施の形態１に係る流動体注出ユニット及び流動体注出器の注出部、スライドノズル、スライドカバーの構成を示す背面図である。
【図４】同実施の形態１に係る流動体注出ユニット及び流動体注出器の注出部の斜視図である。
【図５】同実施の形態１に係る流動体注出ユニット及び流動体注出器のスライドノズルの正面図である。
【図６】同実施の形態１に係る流動体注出ユニット及び流動体注出器のスライドカバーの斜視図である。
【図７】同実施の形態１に係る流動体注出ユニット及び流動体注出器の、注出部とスライドノズルとが「第一の位置」に位置決めされた状態を示す、部分拡大した正面図である。
【図８】同実施の形態１に係る流動体注出ユニット及び流動体注出器の、注出部とスライドノズルとが「第一の位置」に位置決めされた状態を示す、部分拡大した端面図である。
【図９】同実施の形態１に係る流動体注出ユニット及び流動体注出器の、注出部とスライドノズルとが「第一の位置」に位置決めされた状態を示す、注出部、スライドノズル、スライドカバー、保護クリップの端面図である。
【図１０】同実施の形態１に係る流動体注出ユニット及び流動体注出器のスライドカバーの、注出部とスライドノズルとが「第一の位置」に位置決めされて保護クリップを離脱させた状態を示す、部分拡大した正面図である。
【図１１】同実施の形態１に係る流動体注出ユニット及び流動体注出器のスライドカバーの、注出部とスライドノズルとが「第二の位置」に位置決めされた状態を示す、部分拡大した正面図である。
【図１２】同実施の形態１に係る流動体注出ユニット及び流動体注出器の、注出部とスライドノズルとが「第二の位置」に位置決めされた状態を示す、注出部、スライドノズル、スライドカバーの斜視図である。
【図１３】同実施の形態１に係る流動体注出ユニット及び流動体注出器の、注出部とスライドノズルとが「第二の位置」に位置決めされた状態を示す、注出部、スライドノズル、スライドカバーの端面図である。
【図１４】この実施の形態２に係る流動体注出ユニット及び流動体注出器の全体の構成を示す、部分拡大した端面図である。
【図１５】この実施の形態３に係る流動体注出ユニット及び流動体注出器の全体の構成を示す、スプリングが伸長した状態を部分拡大した端面図である。
【図１６】同実施の形態３に係る流動体注出ユニット及び流動体注出器の全体の構成を示す、スプリングが最も押し縮められた状態を部分拡大した端面図である。
【図１７】この実施の形態４に係る流動体注出ユニット及び流動体注出器の全体の構成を示す、部分拡大した端面図である。
【図１８】この実施の形態５に係る流動体注出ユニット及び流動体注出器の全体の構成を示す、部分拡大した端面図である。
【発明を実施するための形態】
【００２０】
＜発明の実施の形態１＞
図１乃至図１３に、この発明の実施の形態１を示す。
【００２１】
まず構成を説明すると、図１に示す、この実施の形態１の流動体注出ユニット１０Ａは、各種経腸栄養剤や飲食物をゲル化またはゾル化した流動体を、胃瘻を形成した患者にチューブ（図示せず）を介して供給するための器具である。
【００２２】
図１に示す、この実施の形態の流動体注出ユニット１０Ａは、流動体注出器１Ａと、「導管」としての流動体導出部材２とを備えている。流動体導出部材２は、シリンジ２３と、三方弁２４とを有する。
【００２３】
図１に示す、この実施の形態１の流動体注出器１Ａは、流動体収容容器１と、「破断部材」としてのスライドノズル３と、「連結手段」及び「筒状部材」としてのスライドカバー４と、保護クリップ５とを備えている。スライドノズル３と、流動体収容容器１の注出部１２（後述）やスライドカバー４との間には、Ｏリング６が嵌合される。
【００２４】
図１に示す通り、流動体収容容器１は袋状の容器であり、上述の流動体（図示せず）が収容される。流動体収容容器１は、容器本体１１と注出部１２とを備える。
【００２５】
容器本体１１は、遮光性や液密性を有するフィルムが積層されて袋状に形成されている。
【００２６】
注出部１２は、ポリプロピレン等の硬質の樹脂によって形成されて、容器本体１１の端部に接着されている。注出部１２は、容器本体１１に収容された流動体を容器本体１１の外部に注出させるために用いる。
【００２７】
図２及び図３に示す通り、注出部１２には、フランジ１２ａを介して先端側に筒状部１３が、基端側に接合部１４が設けられた構成で一体形成されている。接合部１４は、側面が容器本体１１の内面に貼着しやすい形状に形成されている。この実施の形態１の注出部１２においては、図４に示す通り、平面視（同図上側方向から見た状態）で略矩形に形成されている。接合部１４が容器本体１１の先端部の内面に粘着材等によって接合されることで容器本体１１と注出部１２とが固定される。図１に示す通り、筒状部１３は、接合部１４が容器本体１１に固定された状態で、フランジ１２ａと共に容器本体１１の外部に突設される。
【００２８】
図４に示す通り、筒状部１３の先端部１５側の側面には、「連結手段」及び「第一係止手段」及び「第二係止手段」を構成する「突起部」としての位置決め突起部１６が突設されている。また、この位置決め突起部１６に近接して、筒状部１３の基端部寄りには、「連結手段」及び「第二係止手段」を構成する係止孔部１７が貫通形成されている。この係止孔部１７は筒状部１３の先端部１５側から基端部側に向けて幅が狭くなる略楔型に形成されている。
【００２９】
図２及び図３に示す通り、筒状部１３の基端部側の側面には、拡径された筒状部側固定部１８が形成されている。筒状部側固定部１８には、保護クリップ５の基端部５９（後述）や、スライドカバー４の基端部５１（後述）が当接する。
【００３０】
図４に示す通り、筒状部１３の内部と接合部１４の内部とには、貫通孔部１９が貫通形成されて、容器本体１１の内側と外側とを連通させる。貫通孔部１９の先端側である筒状部１３の先端部１５には先端部側開口部２０が、貫通孔部１９の基端側である接合部１４の基端部には「開口部分」としての基端部側開口部２１が、それぞれ開口形成されている。
【００３１】
図４に示す通り、基端部側開口部２１の周縁部には封止膜２２が貼着されている。この封止膜２２は、例えば、遮光性や液密性を有するフィルムが積層されて厚さ０．１２ミリメートル程度に形成された薄膜であり、基端部側開口部２１は封止膜２２によって封止されている。ただし、封止膜２２は、流動体の液密性を確保できてスライドノズル３の先端突部４３（後述）の押圧で突き破れるものならばどのようなものでもよい。
【００３２】
注出部１２の先端部側開口部２０から貫通孔部１９の内部に対しては、スライドノズル３がスライド自在に挿入される。
【００３３】
図５に示す通り、スライドノズル３は、「破断部材本体」としてのスライドノズル本体部４２ａと、先端突部４３とを有する。
【００３４】
スライドノズル本体部４２ａは、基端部側から先端部側にかけて縮径した略円筒形で、先端部と基端部とが開口されて、内部を流動体が通過可能に形成されている。スライドノズル３の先端側の開口部４２は、端面がスライドノズル３の軸方向に対して斜め方向に沿う形状になっている。スライドノズル３の先端部は、尖った形状の先端突部４３として形成されている。この先端突部４３は、後述するように注出部１２の基端部側開口部２１を封止する封止膜２２を突き破る。
【００３５】
スライドノズル本体部４２ａの、先端突部４３の近傍の側面には、流動体通過孔部４４が開口形成されている。この流動体通過孔部４４は、スライドノズル３の先端突部４３が封止膜２２を突き破った際に注出部１２から流出し、スライドノズル本体部４２ａの内部を経てシリンジ２３に流れ込む流動体が通過可能な大きさに形成されている。
【００３６】
スライドノズル３の側面には、「連結手段」及び「第二係止手段」としての固定用突起部４５が設けられている。この固定用突起部４５は、スライドノズル３の基端部から先端部にかけて幅が狭くなる略楔型に形成されている。また、固定用突起部４５は、先端部側に傾斜面部４６、基端部側に、スライドノズル３の軸方向に対して略平行な平行面部４７が設けられている。
【００３７】
スライドノズル３の側面において、固定用突起部４５よりも基端部側には、スライドカバー固定用突起部４８が突設されている。さらに、スライドカバー固定用突起部４８よりも基端部側には、スライドカバー当接部４９が突設されている。スライドカバー４の側面における、このスライドカバー当接部４９には、スライドカバー４の第三係止孔部５６（後述）にスライドノズル３のスライドカバー固定用突起部４８が嵌合されたときに、スライドカバー４の先端部５０（後述）が当接する位置に設けられている。
【００３８】
図６に示す、スライドカバー４は、注出部１２及びスライドノズル３を連結させる機能を奏する。スライドカバー４は、ポリプロピレン等の硬質の部材にて略円筒形に形成されている。スライドカバー４の長さはスライドノズル３の長さよりも短く形成されている。スライドカバー４の先端部５０及び基端部５１は、それぞれ端面として形成されている。
【００３９】
図６に示す通り、スライドカバー４の側面部の先端部側（注出部１２の基端部側に位置する側）には、「第一係止手段」としての「第一位置決め孔部」を構成する第一係止孔部５２が開口形成されている。この第一係止孔部５２は、注出部１２の位置決め突起部１６が嵌合されて係止される形状および大きさに形成されている。後述するとおり、第一係止孔部５２に位置決め突起部１６が嵌合されることで、注出部１２とスライドノズル３とは、スライドノズル３が注出部１２の封止膜２２を突き破らない位置としての「第一の位置」に位置決めされることになる。
【００４０】
スライドカバー４の側面における、第一係止孔部５２の他端部側（スライドノズル３の基端部側に位置する側）には、乗越部５３によって第一係止孔部５２と離間された、スライドカバー４の軸方向に沿って縦長の、「ガイド部材」としてのスリット５４が設けられている。このスリット５４は、注出部１２の位置決め突起部１６と略同一の幅に形成されている。即ち、スリット５４に注出部１２の位置決め突起部１６が嵌合されたときに、位置決め突起部１６がスリット５４の軸方向に沿って移動可能となるように形成されている。
【００４１】
スライドカバー４の側面における、スリット５４の基端部には、スリット５４に連続して、スライドカバー４の周方向に沿って長い「第二係止手段」としての「第二位置決め孔部」を形成する第二係止孔部５５が設けられている。この第二係止孔部５５は、注出部１２の位置決め突起部１６が嵌合され、かつ嵌合された位置決め突起部１６がスライドカバー４の周方向に移動可能な大きさに形成されている。後述するとおり、第二係止孔部５５に位置決め突起部１６が嵌合されることで、注出部１２とスライドノズル３とは、スライドノズル３が注出部１２の封止膜２２を突き破る位置としての「第二の位置」に位置決めされることになる。
【００４２】
スライドカバー４の側面における、第二係止孔部５５よりも他端部側には、第二係止孔部５５と離間して、第三係止孔部５６が開口形成されている。この第三係止孔部５６には、スライドノズル３のスライドカバー固定用突起部４８が嵌合されて係止されうる形状及び大きさに形成されている。
【００４３】
図１に示す、保護クリップ５は、ポリエチレン等の弾性と剛性を併有する部材によって略円筒形に形成されている。図９に示すように、保護クリップ５は注出部１２の外側に装着された状態で、先端部５８が筒状部側固定部１８に、基端部５９側がスライドカバー４の先端部５０に対向する。図１に示すように、保護クリップ５の側面は、保護クリップ５の軸方向に沿う分割部５７により、先端部５８側から基端部５９側まで一直線状に分割される。保護クリップ５は分割部５７にて開閉可能に形成されている。
【００４４】
図１に示す、流動体導出部材２は、剛性の高い材質、例えばポリプロピレン等の硬質の樹脂によって形成されている。
【００４５】
図１に示す通り、シリンジ２３は、シリンジ本体部２５と、ノズル２６と、プランジャ２７と、指押え部２８とを備える。シリンジ本体部２５、ノズル２６、プランジャ２７、指押え部２８は、いずれもポリプロピレンのような剛性の高い材質にて形成されている。
【００４６】
シリンジ本体部２５は、略円筒形に形成されている。シリンジ本体部２５の一端部側には嵌合部２９が形成されている。シリンジ本体部２５の略中央部は三つ叉に分岐して、この分岐部分はシリンジ本体部２５の軸方向に対して略垂直方向に突設された、略円筒形の嵌合部３０を形成している。シリンジ本体部２５の基端部側には、開口部３１が形成されている。また、シリンジ本体部２５の基端部側には、径方向外方に向けて、第一のフランジ部３２ａ、第二のフランジ部３２ｂが径方向に突設されている。
【００４７】
シリンジ本体部２５の嵌合部２９には、ノズル２６が配設される。
【００４８】
ノズル２６は、先端側（一端側）に向けて縮径され、先端に開口部３３が形成されている。ノズル２６の外周面には、一端部が胃瘻（図示せず）に接続されるチューブ（図示せず）の他端部を接続するための、段差状の止着部３３ａが設けられている。
【００４９】
シリンジ本体部２５の内部には、開口部３１からプランジャ２７が挿通される。プランジャ２７は、「プランジャ軸」としての軸部３４の先端部に略円筒形のプランジャ本体部３５が形成されている。このプランジャ本体部３５は、シリンジ本体部２５の内部に嵌挿された際に、周縁部がシリンジ本体部２５の内壁面に密着する。なお、図１に示すプランジャ本体部３５は、軸部３４と一体形成されているものを示すが、プランジャ本体部３５の先端側に更にガスケット（図示せず）が設けられていてもよい。
【００５０】
プランジャ２７の軸部３４の基端部には略円盤状の押圧片部３６が設けられている。
【００５１】
プランジャ２７の押圧片部３６には略Ｕ字状の指押え部２８が配設される。押圧片部３６と指押え部２８との内部には、図７に示すように、環状の環状空間部３７が形成される。
【００５２】
図１に示す通り、シリンジ本体部２５の三つ叉に分岐した部分には、三方弁２４が形成されている。この三方弁２４は、シリンジ本体部２５とスライドノズル３との嵌合部３０の内部に第一の弁座３８が、シリンジ本体部２５とノズル２６の嵌合部２９の内部に第二の弁座３９がそれぞれ設けられている。第一の弁座３８には第一の弁体４０が、第二の弁座３９には第二の弁体４１がそれぞれ配設される。
【００５３】
第一の弁体４０は、三方弁２４の内部が陰圧になるとスライドノズル３からシリンジ本体部２５への流路を開口し、三方弁２４の内部が陽圧になるとスライドノズル３側からシリンジ本体部２５への流路を塞ぐ。第二の弁体４１は、三方弁２４の内部が陰圧になるとシリンジ本体部２５からノズル２６側への流路を塞ぎ、三方弁２４の内部が陽圧になるとシリンジ本体部２５からノズル２６側への流路を開口する。これにより、三方弁２４は、シリンジ２３における流動体の流動方向を制御する。
【００５４】
シリンジ本体部２５の嵌合部３０には、スライドノズル３の基端部が螺合される。
【００５５】
次に、この実施の形態１の作用について記載する。
【００５６】
まず、この実施の形態１の流動体注出器１Ａや流動体注出ユニット１０Ａの保管や移送を行う場合を考える。この場合、図１に示すように、容器本体１１の内部に流動体を収容して基端部側開口部２１を封止膜２２によって封止した流動体収容容器１に、スライドノズル３、スライドカバー４、保護クリップ５、流動体導出部材２等を装着させる。
【００５７】
そして、図１に示すように、スライドノズル３にはＯリング６を嵌挿する。
【００５８】
そして、図１に示すように、スライドノズル３の先端側（先端突部４３が設けられた側）と、流動体収容容器１の注出部１２の筒状部１３の先端部１５とを対向させる。さらに、スライドカバー４の基端部５１側、及び、保護クリップ５の基端部５９側をスライドノズル３の先端側に対向させると共に、スライドカバー４の先端部５０側、及び、保護クリップ５の先端部５８側を、流動体収容容器１の注出部１２の筒状部１３の先端部１５に対向させる。
【００５９】
この状態で、スライドカバー４と保護クリップ５を介在させて、スライドノズル３を流動体収容容器１の注出部１２に嵌挿させる。具体的には、スライドノズル３の先端側を筒状部１３の先端部側開口部２０の内部に嵌挿させる。そして、図７に示すように、スライドノズル３や注出部１２の筒状部１３の外側に位置して、スライドカバー４と保護クリップ５とが配設される。具体的には、スライドノズル３のスライドカバー当接部４９とスライドカバー４の基端部５１とが対向した状態で配設され、保護クリップ５の先端部５８と筒状部１３の筒状部側固定部１８とが対向した状態で配設される。
【００６０】
この状態で、スライドノズル３のスライドカバー固定用突起部４８をスライドカバー４の第三係止孔部５６に嵌合させると共に、筒状部１３の第一係止孔部５２に筒状部１３の位置決め突起部１６を嵌合させる（図９参照）。この状態で、スライドノズル３の先端突部４３が封止膜２２に当接しない位置に、注出部１２とスライドノズルとが固定される。即ち、注出部１２とスライドノズル３とは、図７及び図８に示すように、「第一の位置」に位置決めされることになる。
【００６１】
次に、流動体導出部材２を組み立てて、この流動体導出部材２にスライドノズル３を装着させる。具体的には、プランジャ２７の押圧片部３６に指押え部２８の両端部を装着して環状空間部３７が形成された状態にする。このプランジャ２７を、プランジャ本体部３５側からシリンジ本体部２５の開口部３１の内部に嵌挿させる。そして、第一の弁座３８に第一の弁体４０を配設した状態でシリンジ本体部２５の嵌合部２９にノズル２６を装着する。また、第二の弁座３９に第二の弁体４１を配設した状態で嵌合部３０にスライドノズル３を装着する。この状態で、流動体導出部材２の組み立てと、流動体導出部材２へのスライドノズル３の装着が完了する。
【００６２】
この状態において、注出部１２とスライドノズル３とは「第一の位置」に位置決めされている。そのため、この状態で流動体注出器１Ａや流動体注出ユニット１０Ａの保管や移送を行えば、保管中や移送中にスライドノズル３の先端突部４３が封止膜２２を突き破ることを防止できる。また、流動体収容容器１と流動体導出部材２とを一体化させた状態で流動体注出器１Ａや流動体注出ユニット１０Ａの保管や移送を行うことができるので、医療現場ですぐに使用可能な状態で保管や移送を行うことができる。
【００６３】
また、注出部１２やスライドノズル３の外側に、スライドカバー４に加え、保護クリップ５を備えたことにより、注出部１２とスライドノズル３とが「第一の位置」に位置決めされた状態で、スライドカバー４の先端部５０側の外側に、保護クリップ５の基端部５９側が配設された状態になる。このため、図９に示すように、スライドカバー４の先端部５０側は、注出部１２の筒状部１３と保護クリップ５とによって内側と外側から挟み込まれた状態となる。
【００６４】
そして、スライドカバー４が筒状部１３の基端部側（筒状部側固定部１８が配設された側）への移動は、スライドカバー４と筒状部１３及び保護クリップ５との摩擦力によって抑止される。これにより、保管中や移送中にスライドノズル３の先端突部４３が封止膜２２を突き破ることをより確実に防止できる。
【００６５】
次に、この実施の形態１の流動体注出器１Ａや流動体注出ユニット１０Ａを医療現場等で使用する場合を考える。この場合、図１０に示すように、保護クリップ５の分割部５７から保護クリップ５を開いて、保護クリップ５を筒状部１３やスライドカバー４の外側から離脱させる。次に、使用者は注出部１２の筒状部１３とスライドノズル３とを把持し、筒状部１３とスライドノズル３とに対し、それらを近接させる方向に力を加える。すると、筒状部１３の位置決め突起部１６がスライドカバー４の第一係止孔部５２を離脱し、乗越部５３を乗り越えてスリット５４の先端側に嵌挿される。そして、位置決め突起部１６は、スリット５４の長手方向にそってスライドカバー４の先端部５８側から基端部５９側へとスライドする。これにより、スライドカバー４及びスライドノズル３は、筒状部１３の基端部側へとスライドされる。すると、スライドノズル３の先端突部４３が封止膜２２に当接し、さらに先端突部４３は封止膜２２を押圧して封止膜２２を突き破る（図１１，図１２参照）。先端突部４３が封止膜２２を突き破ることで、容器本体１１の内部に収容された流動体は基端部側開口部２１から注出部１２側に流出し、さらに、スライドノズル本体部４２ａの内部を通過して流動体導出部材２側に流出する。
【００６６】
ここで、先端突部４３によって突き破られた封止膜２２がスライドノズル本体部４２ａの開口部４２を塞いでしまうような事態も起こりうる。しかし、この実施の形態１においては、スライドノズル本体部４２ａの先端突部４３の近傍の側面に設けられた流動体通過孔部４４が、破れた封止膜２２によって塞がれにくい位置に配設されている（図１２参照）。そのため、たとえ破れた封止膜２２がスライドノズル本体部４２ａの開口部４２を塞いでも、流動体は流動体通過孔部４４からスライドノズル本体部４２ａの内部に流れ込む。
【００６７】
位置決め突起部１６は、スリット５４の基端部までスライドされたのち、さらに第二係止孔部５５に嵌挿される。この状態で、使用者が、スライドカバー４を筒状部１３に対して左右何れかの周方向に回転させると、スライドノズル３と注出部１２とが、スライドノズル３の先端突部４３が封止膜２２を突き破る位置において固定される。即ち、注出部１２とスライドノズル３とは「第二の位置」に位置決めされる。この状態で、ノズル２６の先端部に、一端部が胃瘻（図示せず）に接続されるチューブ（図示せず）の他端部を接続させる。チューブ（図示せず）の他端部は止着部３３ａにてノズル２６に止着させる。
【００６８】
ここで、使用者は、図１１に示す、環状空間部３７に手の親指を通し、第一のフランジ部３２ａと第二のフランジ部３２ｂとの間に人差し指や中指を置いた状態で、プランジャ２７を操作する。即ち、プランジャ２７を引いて第一の弁体４０を開放させ、容器本体１１内部の流動体をシリンジ本体部２５の内部に導入し、プランジャ２７を押して第二の弁体４１を開放させ、シリンジ本体部２５の内部の流動体をチューブ（図示せず）を介して患者の胃瘻（図示せず）に供給することを繰り返す。このように、注出部１２とスライドノズル３とが「第二の位置」に位置決めされることで、患者に対する流動体の連続的な供給を行うことができる。
【００６９】
なお、この実施の形態１においては、スリット５４が第二係止孔部５５に嵌挿された状態で、使用者が注出部１２とスライドノズル３とにさらに近接方向に力を加えると、図１１，図１２，図１３に示すように、スライドノズル３の固定用突起部４５が筒状部１３の係止孔部１７に嵌合されて、注出部１２とスライドノズル３とが「第二の位置」に一層強固に位置決めされる。これにより、注出部１２とスライドノズル３とが「第二の位置」に位置決めされることで、患者に対する流動体の連続的な供給を一層確実に行うことができる。
【００７０】
以上示した通り、この実施の形態１においては、流動体収容容器１の内部に収容された流動体を注出させる注出部１２が封止膜２２にて封止されたことにより、流動体収容容器１の内部を密封し、移送時や保管時に流動体が外気に触れることを防止して流動体の品質を保持できる。また、注出部１２とスライドノズル３とがスライドカバー４によって連結されていることにより、注出部１２に封止膜２２を破断させる構成を取り付ける煩雑な作業は不要となり、作業者は簡易で衛生的な作業により流動体を生体内に供給できる。また、位置決め突起部１６を第一係止孔部５２に嵌合させることによって、注出部１２とスライドノズル３とを第一の位置で係止させることで、移送時や保管時には、注出部１２とスライドノズル３とを第一の位置に位置決めして流動体の漏出を確実に防止できる。また、スライドノズル３を注出部１２方向にスライドさせることで、位置決め突起部１６を第三係止孔部５６に嵌合させ、又は固定用突起部４５を係止孔部１７に嵌合させて、注出部１２とスライドノズル３とを第二の位置で係止させることで、流動体を生体内に供給する際には、注出部１２とスライドノズル３とを第二の位置に位置決めして容器本体１１内部の流動体を確実に注出させることができる。これにより、移送時や保管時における容器本体１１に収容された流動体の漏出を確実に防ぎ、使用時における流動体の生体内への供給を簡易かつ確実に行うことができる。
【００７１】
この実施の形態１においては、注出部１２及びスライドノズル３とは別体のスライドカバー４に、注出部１２がスライドカバー４の軸方向に移動する際の移動をガイドするためのスリット５４が設けられたことにより、スライドノズル３はスリット５４にガイドされた状態で注出部１２の基端部側開口部２１方向に移動する。これにより、スライドノズル３による封止膜２２の破断や、流動体収容容器１の注出部１２とスライドノズル３との連結をスムーズに行うことができる。
【００７２】
この実施の形態１においては、スリット５４に嵌合された位置決め突起部１６がスライドカバー４の軸方向に移動することにより、スライドノズル３の先端突部４３の、注出部１２の基端部側開口部２１方向への移動のガイドを簡易な構成によって実現できる。また、スリット５４の一端部側に第一係止孔部５２が設けられ、スリット５４の他端部側に第二係止孔部５５が設けられたことにより、位置決め突起部１６が第一係止孔部５２に嵌合されることで注出部１２とスライドノズル３とを第一の位置に位置決めして流動体の漏出を確実に防止すると共に、スリット５４に沿って移動したスライドノズル３の先端突部４３が第二係止孔部５５に嵌合されることで注出部１２とスライドノズル３とを第二の位置に位置決めして、容器本体１１内部の流動体を確実に注出させることができる。これにより、移送時や保管時における容器本体１１に収容された流動体の漏出を確実に防ぎ、使用時における流動体の生体内への供給を簡易かつ確実に行うことができる
この実施の形態１においては、スライドノズル３の先端突部４３の近傍の側面に流動体通過孔部４４が形成されたことにより、スライドノズル３の先端突部４３が封止膜２２を破断した際に封止膜２２がスライドノズル３開口部４２の端面を覆ってしまった場合でも、容器本体１１の内部の流動体は流動体通過孔部４４から破断部材本体の内部に流れ込む。これにより、使用時には、容器本体１１の内部に収容された流動体を確実に導管を介して生体内に供給することができる。
【００７３】
この実施の形態１においては、流動体を生体内に注入するシリンジ２３と、シリンジ２３における流動体の流動方向を制御する三方弁２４とを備えたことにより、使用者がシリンジ２３のプランジャ２７を引くことで容器本体からシリンジ２３に流動体を流入させ、プランジャ２７を押すことでシリンジ２３の内部の流動体を生体内に注入させることができる。これにより、容器本体１１の内部に収容された流動体を簡易かつ確実に生体内に供給することができる。
【００７４】
＜発明の実施の形態２＞
図１４に、この発明の実施の形態２を示す。
【００７５】
この実施の形態２において、流動体注出ユニット１０Ｂ及び流動体注出器１Ｂは、シリンジ本体部２５の内部において、プランジャ２７のプランジャ本体部３５に対向して「弾性部材」としてのスプリング６０が配設されている点が実施の形態１の流動体注出ユニット１０Ａ及び流動体注出器１Ａと相違する。このスプリング６０は、コイルばねであり、一端側（シリンジ本体部２５の先端寄りに配設される側）から他端側（プランジャ本体部３５寄りに配設される側）まで略同一径に形成されている。スプリング６０は、金属、樹脂等、どのような材質にて形成されてもよいが、流動体との接触で変質や腐食をしない材質で形成されることが望ましい。
【００７６】
また、第一のフランジ部３２ａのみ存在し、第二のフランジ部３２ｂが存在しない点も実施の形態１の流動体注出ユニット１０Ａ及び流動体注出器１Ａと相違する。その他の構成は実施の形態１の流動体注出ユニット１０Ａ及び流動体注出器１Ａと同じである。
【００７７】
ここで、使用者が片手でシリンジ２３を把持してプランジャ２７を引く操作をする際は、親指以外の複数の指例えば人指し指と中指の間にシリンジ本体部２５を把持し、親指を環状空間部３７に通して、すぼめた掌を広げて親指を人差し指や中指から離間させる動作を行う。一方、使用者が片手でシリンジ２３を把持してプランジャ２７を押す操作をする際は、シリンジ２３を把持した掌をすぼめて親指を人差し指や中指に近接させる動作を行う。そして、シリンジ２３を片手で把持した状態で、すぼめた掌を開く動作は、開いた掌をすぼめる動作よりも力が入りにくい。そのため、使用者が片手でシリンジ２３を把持した状態では、プランジャ２７を引く操作は、押す操作よりも使用者が力を入れにくくなり、操作が困難になる。
【００７８】
しかし、この実施の形態２においては、スプリング６０の弾性力により、プランジャ２７をシリンジ本体部２５から離脱させて開口部３１から押し出す方向に付勢されている。そのため、スプリング６０が配設されていない場合に比べ、使用者がプランジャ２７を引く際に要する力が小さくて済む。これにより、シリンジ２３の内部に流動体を流入させる際に、使用者は、小さい力でプランジャ２７を引く操作を行うことができて、使用者の操作が容易になる。さらには、スプリング６０の材質や線径や巻数やストロークや自然長などを調整し、スプリング６０の弾性力を、シリンジ本体部２５とプランジャ本体部３５との接触部分に生ずる摩擦力よりも大きくすることにより、使用者が引く操作を行わなくても、プランジャ２７をシリンジ本体部２５から離脱する方向に移動させることができる。これにより、使用者の操作が容易になる。
【００７９】
そして、図１４に示すように、シリンジ本体部２５に第一のフランジ部３２ａのみ配設され、実施の形態１における第二のフランジ部３２ｂが存在しない構成であっても、使用者はプランジャを引く操作を容易に行うことができる。なお、この流動体注出ユニット１０Ｂ及び流動体注出器１Ｂに、実施の形態１と同様の第二のフランジ部３２ｂが設けられていても、使用者はプランジャを引く操作を容易に行うことができる。
【００８０】
＜発明の実施の形態３＞
図１５及び図１６に、この発明の実施の形態３を示す。
【００８１】
図１５に示すように、この実施の形態３において、流動体注出ユニット１０Ｃ及び流動体注出器１Ｃは、実施の形態２の流動体注出ユニット１０Ｂ及び流動体注出器１Ｂと同様に、シリンジ本体部２５の内部において、プランジャ２７のプランジャ本体部３５に対向して「弾性部材」としてのスプリング７０が配設されている。ただし、このスプリング７０は、コイルばねであり、一端側（シリンジ本体部２５の先端寄りに配設される側）から他端側（プランジャ本体部３５寄りに配設される側）に向けて縮径している点が実施の形態２の流動体注出ユニット１０Ｂ及び流動体注出器１Ｂと相違する。スプリング７０は、金属、樹脂等、どのような材質にて形成されてもよいが、流動体との接触で変質や腐食をしない材質で形成されることが望ましい。その他の構成は実施の形態２と同じである。
【００８２】
ここで、図１６に示す、スプリング７０を最も押し縮めた際の長さＬの分の空間は、スプリング７０を配設したことによるデッドスペース７１となる。このデッドスペース７１は、プランジャ本体部３５が往復できない空間なので、内部に流体が残留してしまうことになる。しかし、この実施の形態３においては、スプリング７０が一端側から他端側に向けて縮径しているため、縮径していないスプリング６０（図１４参照）に比べ、長さＬが短くなり、その分デッドスペース７１も少なくなる。これにより、シリンジ２３の内部に残留する流体の量を減らし、流体を無駄なく生体内に供給できる。
【００８３】
＜発明の実施の形態４＞
図１７に、この発明の実施の形態４を示す。
【００８４】
この実施の形態４において、流動体注出ユニット１０Ｄ及び流動体注出器１Ｄは、実施の形態２の流動体注出ユニット１０Ｂ及び流動体注出器１Ｂのスプリング６０に替えて、プランジャ２７の軸部３４の周囲に「弾性部材」としてのスプリング８０が配設されている。このスプリング８０は、コイルばねであり、弾性力により、プランジャ２７をシリンジ本体部２５から離脱させて開口部３１から押し出す方向に付勢する。スプリング８０は、金属、樹脂等、どのような材質にて形成されてもよい。この他の構成は、この発明の実施の形態２と同じである。
【００８５】
この実施の形態４においては、図１７に示す通り、スプリング８０がシリンジ本体部２５の外側に配設される。そのため、シリンジ本体部２５の内部には、図１５に示すようなデッドスペース７１は発生しない。そのため、シリンジ２３の内部に残留する流体の量を減らし、流体を無駄なく生体内に供給できる。また、スプリング８０はシリンジ本体部２５の内部を流れる流体に接触しないので、流体の組成への影響（例えば発生した錆の流体への混入）を考慮せずにスプリング８０を形成できる。そのため、スプリング８０を形成する素材の選択の自由度を高めることができる。
【００８６】
＜発明の実施の形態５＞
図１８に、この発明の実施の形態５を示す。
【００８７】
この発明の実施の形態５において、流動体注出ユニット１０Ｅ及び流動体注出器１Ｅは、実施の形態２の流動体注出ユニット１０Ｂ及び流動体注出器１Ｂにおけるスプリング６０に替えて、実施の形態３の流動体注出ユニット１０Ｃ及び流動体注出器１Ｃと同じスプリング７０（図１５及び図１６参照）と、実施の形態４の流動体注出ユニット１０Ｄ及び流動体注出器１Ｄ（図１７参照）と同じスプリング８０とが、それぞれ配設されている。それ以外の構成は、実施の形態２と同じである。なお、この実施の形態５において、スプリング７０に替えて、実施の形態２の流動体注出ユニット１０Ｂ及び流動体注出器１Ｂと同じスプリング６０（図１４参照）を備えた構成であってもよい。
【００８８】
この実施の形態５においては、シリンジ本体部２５の内部のスプリング７０と、シリンジ本体部２５の外部のスプリング８０によってプランジャ２７が付勢される。そのため、プランジャ２７に強い付勢力を与えることができる。また、スプリング７０とスプリング８０の、それぞれの材質や線径や巻数やストロークや自然長などを調整することで、プランジャ２７の作動状態を調整することができる。そのため、使用者が小さい力でプランジャ２７を引く操作を行うことや、使用者が引く操作を行わなくてもプランジャ２７をシリンジ本体部２５から離脱する方向に移動させることが可能になる。これにより、使用者の操作が容易になる。
【００８９】
なお、上記実施の形態２乃至５における「弾性部材」としてのスプリング６０，７０，８０は、それぞれコイルばねとして構成したが、これに限定されず、例えば板ばねや、ゴム等の弾性体等、どのような弾性部材によって構成されてもよい。
【００９０】
上記各実施の形態においては、注出部１２及びスライドノズル３とは別にスライドカバー４を備え、このスライドカバー４に「連結手段」としての第一係止孔部５２や第二係止孔部５５や、「ガイド手段」としてのスリット５４を備える構成としたが、これに限定されず、「係止手段」としての第一係止孔部や第二係止孔部や、「ガイド手段」としてのスリットを、注出部１２やスライドノズル３に設ける構成としてもよい。
【００９１】
また、上記各実施の形態においては、注出部１２に設けた位置決め突起部１６をスライドカバー４に設けた第一係止孔部５２や第二係止孔部５５に嵌合させる構成としたが、これに替えて、スライドノズル３に位置決め突起部を設け、この位置決め突起部を第一係止孔部５２や第二係止孔部５５に嵌合させる構成としてもよい。また、注出部１２とスライドノズル３の双方に位置決め突起部を設け、これらを第一係止孔部５２や第二係止孔部５５に嵌合させる構成としてもよい。
【００９２】
また、上記各実施の形態においては、「第一係止手段」「第二係止手段」を位置決め突起部１６や第一係止孔部５２や第二係止孔部５５によって構成し、「ガイド手段」をスリット５４によって構成したが、これに限定されず、例えば注出部１２やスライドノズル３に凹部を設け、この凹部がスライドカバー４に突設された突起部に嵌合されることで、第一の位置や第二の位置での係止やスライドノズル３の移動のガイドを行う構成としてもよい。
【００９３】
また、上記各実施の形態においては、注出部１２とスライドノズル３との「第二の位置」への位置決めを、まず固定用突起部４５と第二係止孔部５５との嵌合によって行い、次いで固定用突起部４５と係止孔部１７との嵌合によって行ったが、これに限定されず、「第二の位置」への位置決めを、固定用突起部４５と第二係止孔部５５との嵌合のみ、又は、固定用突起部４５と係止孔部１７との嵌合のみによって行ってもよい。
【００９４】
また、上記各実施の形態においては、流動体注出器１Ａや流動体注出ユニット１０Ａは胃瘻を形成した患者に流動体を供給するために用いるものとしたが、これに限定されず、飲食用の流動体の供給や、人間以外の動植物等に各種流動体を供給するために用いてもよい。
【００９５】
また、上記各実施の形態においては、流動体導出部材２がシリンジ２３と三方弁２４とを有する構成としたが、これに限定されず、生体内に流動体を供給できる構成であればどのようなものでもよい。例えば、流動体導出部材２がシリンジ２３を有さない単なる導管であってもよいし、三方弁２４を有しない構成であってもよい。
【００９６】
上記各実施の形態は本発明の例示であり、本発明が上記各実施の形態に限定されることを意味するものではないことは、いうまでもない。
【符号の説明】
【００９７】
１Ａ，１Ｂ，１Ｃ，１Ｄ，１Ｅ・・・流動体注出器
１０Ａ，１０Ｂ，１０Ｃ，１０Ｄ，１０Ｅ・・・流動体注出ユニット
１・・・流動体収容容器
２・・・流動体導出部材（導管）
３・・・スライドノズル（破断部材）
４・・・スライドカバー（連結手段，筒状部材）
１１・・・容器本体
１２・・・注出部
１６・・・位置決め突起部（連結手段，第一係止手段，第二係止手段，突起部）
１７・・・係止孔部（連結手段，第二係止手段）
２１・・・開口部分
２２・・・封止膜
２３・・・シリンジ
２４・・・三方弁
３４・・・軸部（プランジャ軸）
４２ａ・・・スライドノズル本体部（破断部材本体）
４３・・・先端突部
４４・・・流動体通過孔部
４５・・・固定用突起部（連結手段，第二係止手段）
５２・・・第一係止孔部（第一係止手段，第一位置決め孔部）
５４・・・スリット（ガイド部材）
５５・・・第二係止孔部（第二係止手段，第二位置決め孔部）
【図１】
2015066026.tif 000003
【図２】
2015066026.tif 000004
【図３】
2015066026.tif 000005
【図４】
2015066026.tif 000006
【図５】
2015066026.tif 000007
【図６】
2015066026.tif 000008
【図７】
2015066026.tif 000009
【図８】
2015066026.tif 000010
【図９】
2015066026.tif 000011
【図１０】
2015066026.tif 000012
【図１１】
2015066026.tif 000013
【図１２】
2015066026.tif 000014
【図１３】
2015066026.tif 000015
【図１４】
2015066026.tif 000016
【図１５】
2015066026.tif 000017
【図１６】
2015066026.tif 000018
【図１７】
2015066026.tif 000019
【図１８】
2015066026.tif 000020